(57)【要約】本発明は、電源電圧で動作するハロゲン白熱ランプであって、透明材料から形成されハーメチック封止された円筒状バルブ（２）と、不活性ガス及びハロゲン添加物から形成された充填物と、発光素子（４）と、電流供給システムと、単一片の支持ワイヤから形成され、この支持ワイヤの端部の領域がランプ軸線に対して交差する方向に曲げられ、つまみ封止部側とは反対側の円筒状バルブ（２）の端部近傍で発光素子（４）を保持しているマウント（５）とを少なくとも有するハロゲン白熱ランプにおいて、ほぼＵ字状に曲げられた発光素子（４）が、ランプ軸線に対して対称に配置されており、この発光素子（４）は、ランプ軸線に交差するように配置された部分の領域においてマウント（５）により２箇所で支持されており、このマウント（５）の一方の端部がつまみ封止部（３）内に固着されているハロゲン白熱ランプに関するものである。
2004522268.tif 000002
【特許請求の範囲】
【請求項１】
電源電圧で動作するハロゲン白熱ランプであって、透明材料から形成されハーメチック封止された円筒状バルブと、不活性ガス及びハロゲン添加物から形成された充填物と、発光素子と、電流供給システムと、単一片の支持ワイヤから形成され、この支持ワイヤの端部の領域がランプ軸線に対して交差する方向に曲げられ、つまみ封止部側とは反対側の円筒状バルブの端部近傍で発光素子を保持しているマウントとを少なくとも有するハロゲン白熱ランプにおいて、ほぼＵ字状に曲げられた発光素子が、ランプ軸線に対して対称に配置されており、この発光素子は、ランプ軸線に交差するように配置された部分の領域においてマウントにより２箇所で支持されており、このマウントの一方の端部がつまみ封止部内に固着されているハロゲン白熱ランプ。
【請求項２】
請求項１に記載のハロゲン白熱ランプにおいて、前記支持ワイヤの一方の端部は、電流供給システムの２部分の間で軸線方向に対しほぼ平行に延在して円筒状バルブのつまみ封止部内に固着されていることを特徴とするハロゲン白熱ランプ。
【請求項３】
請求項１に記載のハロゲン白熱ランプにおいて、前記支持ワイヤの一方の端部は、つまみ封止部に埋め込まれた封入ホイルに接続されていることを特徴とするハロゲン白熱ランプ。
【請求項４】
請求項１に記載のハロゲン白熱ランプにおいて、前記マウントがコイル状となっていない支持ワイヤから形成されていることを特徴とするハロゲン白熱ランプ。
【請求項５】
請求項１に記載のハロゲン白熱ランプにおいて、前記マウントが、機械的な自立支持形態で安定した半完成製品から形成されていることを特徴とするハロゲン白熱ランプ。
【請求項６】
請求項１に記載のハロゲン白熱ランプにおいて、前記マウントが、２箇所の支持点の領域でフック状に形成されており、その開口部は、つまみ封止部側とは反対側の円筒状バルブの端部に向いていることを特徴とするハロゲン白熱ランプ。
【請求項７】
請求項１に記載のハロゲン白熱ランプにおいて、発光素子は、発光性で連続的な二重コイルとした２箇所の部分を有しており、当該発光素子の２つの端部は、それぞれコイル部分を有しておりこれらコイルは部分的につまみ封止部内に封入されていることを特徴とするハロゲン白熱ランプ。
【請求項８】
請求項１に記載のハロゲン白熱ランプにおいて、連続的な二重コイルである発光素子は、少なくとも１つの発光部分と、少なくとも２つの非発光部分とを有することを特徴とするハロゲン白熱ランプ。
【請求項９】
請求項１に記載のハロゲン白熱ランプにおいて、発光素子及び電力供給リードが１本のワイヤから製造されていることを特徴とするハロゲン白熱ランプ。
【請求項１０】
請求項１に記載のハロゲン白熱ランプにおいて、電流供給システムが、つまみ封止部内に埋め込まれた封入ホイルに発光素子の端部を接続する電力供給リードを有することを特徴とするハロゲン白熱ランプ。
【請求項１１】
請求項１に記載のハロゲン白熱ランプにおいて、主として、発光素子、マウント、電力供給リード、封入ホイル及びピン接点を具えた、当該白熱ランプの内部金属部分は、機械的に安定な半完成品から形成されていることを特徴とするハロゲン白熱ランプ。
【発明の詳細な説明】
【技術分野】
【０００１】
本発明は、電源電圧で動作するハロゲン白熱ランプであって、透明材料から形成されハーメチック封止された円筒状バルブと、不活性ガス及びハロゲン添加物から形成された充填物と、発光素子と、電流供給システムと、単一片の支持ワイヤから形成され、この支持ワイヤの端部の領域がランプ軸線に対して交差する方向に曲げられ、つまみ封止部側とは反対側の円筒状バルブの端部近傍で発光素子を保持し、この支持ワイヤの他端部がつまみ封止部付近の円筒状バルブの端部付近に固着されているマウントとを少なくとも有するハロゲン白熱ランプに関するものである。
【０００２】
このようなハロゲン白熱ランプは、例えば、ドイツ国特許公開第４１０６８５１号明細書に開示されている。このドイツ国特許公開明細書に開示されており、一方の端部でつまみ封止されたハロゲン白熱ランプは、支持ワイヤを折り曲げて形成したロッドレスと称されるマウントを有し、このマウントはその横方向延在部分により発光素子を少なくとも２箇所で支持している。このマウントは、この横方向延在部分に加えて、バルブの内壁に弾性的に当接している２つのリムを有し、これらリムの１つはつまみ封止部内に封入されている。この場合、素子数は比較的少なくなるが、この解決策を達成するには技術的に多大な労力及び費用を必要とし、従って、特に一般的な照明用途に提供されたこの種のハロゲンランプは、大量生産の要求を満たしていない。このハロゲンランプにおける技術的な難点は、特に、２つのリムを具えるマウントをバルブ内に挿入することに関連するものである。このマウントをバルブ内に正確に位置させるためには、挿入の間に所定の方法でリムのばね力を克服する必要がある。
【０００３】
次に、少なくとも、マウントがつまみ封止部内に固定されるまで、所定の位置を保持し、位置的なずれを少なくする必要がある。前記ドイツ国特許公開明細書に開示されている、バルブの内壁に対するリムの平坦支持部においては、通常存在するガラスの製造誤差、特に標準的なガラスの場合に一般的に製造により引き起こされる表面突起が無視できない影響を及ぼす。少なくとも、封入されていないリムの幾何学形状を、ランプバルブの製造誤差を考慮して補償しなければならず、通常は、このことにより、付加的な費用が必要となる。
【０００４】
本発明の目的は、技術的な観点から容易に且つ廉価に製造することができ、ランプバルブの製造誤差を最大限無視し得るハロゲン白熱ランプを提供することにある。
【０００５】
本発明のこの目的は、電源電圧で動作するハロゲン白熱ランプであって、透明材料から形成されハーメチック封止された円筒状バルブと、不活性ガス及びハロゲン添加物から形成された充填物と、発光素子と、電流供給システムと、単一片の支持ワイヤから形成され、この支持ワイヤの端部の領域がランプ軸線に対して交差する方向に曲げられ、つまみ封止部側とは反対側の円筒状バルブの端部近傍で発光素子を保持しているマウントとを少なくとも有するハロゲン白熱ランプにおいて、ほぼＵ字状に曲げられた発光素子が、ランプ軸線に対して対称に配置されており、この発光素子は、ランプ軸線に交差するように配置された部分の領域においてマウントにより２箇所で支持されており、このマウントの一方の端部がつまみ封止部内に固着されているハロゲン白熱ランプによって達成される。
【０００６】
本発明によれば、ハロゲン白熱ランプの主要部品、即ち、特にランプバルブと、マウント及び発光素子である組立てられる金属部品とをそれぞれ予め別々に製造しておき、次に、特につまみ封止部の製造と相俟って機能的に適切で簡単な方法でこれらを互いに連結することができるハロゲン白熱ランプを提供し得るものである。
【０００７】
本発明による解決方法の好ましい例においては、支持ワイヤの一端部を、電流供給システムの２部分間で軸線方向にほぼ平行に延在するようにバルブのつまみ封止部内に固定する。本発明によるこの構成によれば、特に電力供給リードに必要とする間隔は最小となる為に、利用可能な空間を最適に利用することができるようになる。
【０００８】
大量生産についての通常の条件、つまり、使用される材料及び他の生産資源の量並びに品質に関する出費をできる限り最少として、製品を製造するという条件のもとでは、マウントを、コイル状としない廉価な支持ワイヤから形成するのが極めて好ましい。
【０００９】
本発明の目的のためには、マウントを、機械的に安定な半完成品とするのが好ましい。このように本質的に安定している構成部材は、特に装着、供給及び保存に際して付加的な安定化手段を必要としない。
【００１０】
本発明の好ましい例は、本発明により支持ワイヤを簡単な構成にすることに関するものであり、本発明によれば、この支持ワイヤを、突出フックの形態とし、その開口部をつまみ封止部側とは反対側のバルブの端部に向ける。この構成によれば、発光素子を簡単にフックに通すことができ、装着状態に適切に保持することができる。
【００１１】
本発明の更に有利な例は、発光素子の形状の選択に関するものである。連続的な二重コイルである発光素子であって、少なくとも２つの発光部分と少なくとも３つの非発光部分とを有しており、当該発光素子の両端部が少なくとも部分的につまみ封止部内に封入される発光素子は、特に廉価に製造し効率的に装着し得る。発光素子の発光部分又は非発光部分は基本的にはコイル状にしないが、本発明の目的のためには、発光素子を、単コイル又は二重コイルとすることができる。
上述の目的のためには、発光素子と電力供給リードとを１本のワイヤから製造するのが更に好ましい。
【００１２】
本発明の目的のためには、特に、発光素子、マウント、電力供給リード、封入ホイル及び接点ピンの部品を有する、ハロゲン白熱ランプの内部金属部分を、これら部品を互いに装着した後に機械的に安定した半完成品とするのが好ましい。このように本質的に安定している半完成品は、特に、ハロゲン白熱ランプの最終組み立て中、即ち特にガラス部分と内部金属部分との組み立て中や、その供給中や、保存中に付加的な安定化手段を必要としない。
【００１３】
本発明による解決手段によれば、ほぼ８０Ｖ〜２５０Ｖの範囲と理解すべき、あらゆる一般的な幹線電源の電圧範囲や、職業的なだけでなく私的な様々な消費電力の分野において使用し得るハロゲン光源を得ることができるようになる。
【００１４】
本発明を以下の実施例を参照してより詳細に説明する。
図１ａ及び１ｂは、２２０Ｖの幹線電源に直接接続するのに適した、一般的な照明目的のためのハロゲン白熱ランプ１の正面図及び側面図である。このハロゲン白熱ランプ１は、外径を１２．７５ｍｍ、全長を約４５ｍｍとし石英ガラスから形成した円筒状バルブ２を有する。このバルブ２の内部空間には、既知の不活性混合ガスであって、多くの場合には通常のハロゲン添加物を含む不活性混合ガスが既知のように封入されている。
【００１５】
つまみ封止部側とは反対側のバルブ２の一方の端部中央には、排気先端部と称されるドーム部がある。バルブ２の他方の端部はつまみ封止部３によりハーメチック封止されている。つまみ封止工具の直接作用により形成された単一のつまみ封止部３のほぼ平行な外側面は、中央においてランプの軸線に対して対称に配置されている。発光素子４の両端部とマウント５の一方の端部とが位置している平面は、つまみ封止部３と平行になるようこのつまみ封止部３の内部の中央に存在している。
【００１６】
Ｕ字状に曲げられた発光素子４の２つのリムは、上述した平面内に位置し、且つランプ軸線に対して対称に配置されており、つまみ封止部３の方向に向かって僅かに拡開している。
【００１７】
発光素子４は、連続的にコイル巻にした発光部分をその中央部に有する。この中央部に連結している、発光素子の２つの端部は、部分的につまみ封止部３内に封入され、且つこのつまみ封止部３内に埋め込まれた封入ホイル（箔）７に導電接続されており、各端部は単巻コイル部分を有している。ハロゲンランプとって通常の材料よりなる単一片の発光素子４の２つの端部は、電力供給リードとしても作用する。これら２つの電力供給リード６はつまみ封止部３内で互いに平行に配置されており、封止ホイル７と接点ピン８とが各電力供給リードに続いて前後に整列配置されている。これら２本の接点ピン８は、それぞれの封入ホイル７に導電接続されている。これら接点ピン８は、一部がつまみ封止部３内に埋め込まれており、一部はつまみ封止部３から突出している。
【００１８】
発光素子４は、ランプ軸線と交差する方向で配置された部分において、マウント５により２箇所で保持されている。ハロゲンランプにとって一般的な材料より成り、コイル状で屈曲された支持ワイヤを有するマウント５は、電力供給システムの２部分の間で軸線方向に対しほぼ平行に延在してつまみ封止部３内に部分的に封入され固着されている。電力供給システムの２部分はそれぞれ、特に、１つの電力供給リード６と、１つの封入ホイル７と、１つの接点ピン８とを含む。図１ｂから明らかなように、支持ワイヤの曲げる方向は、発光素子４のリムが配置されている面に対し直角な面内にある。２つの支持点の領域では、支持ワイヤは突出フック状に湾曲させ、その開口部はつまみ封止部３側とは反対側のバルブの端部に向いている。
【００１９】
発光素子４、マウント５、電力供給リード６、封入ホイル７及び接点ピン８を有するハロゲン白熱ランプ１の内部金属部分は、ハロゲン白熱ランプ１の最終組み立て前には、特に、この内部金属部分とガラス部分とを互いに連結する前には１回以上の装着工程で製造した機械的に安定した半完成品となっている。
【図面の簡単な説明】
【００２０】
【図１ａ】図１ａは、ハロゲン白熱ランプの正面図である。
【図１ｂ】図１ｂは、ハロゲン白熱ランプの側面図である。
【国際公開パンフレット】
2004522268.tif 000003
2004522268.tif 000004
2004522268.tif 000005
2004522268.tif 000006
2004522268.tif 000007
2004522268.tif 000008
2004522268.tif 000009
2004522268.tif 000010
2004522268.tif 000011
【国際調査報告】
2004522268.tif 000012
2004522268.tif 000013